(57)【要約】      （修正有）【課題】サロンにおいて複数のマッサージ装置を用意せずに、人の体の形状にフィットさせながら、マッサージする力を自在に変化させることにより、肩、腕、背中、腰へとお客様の要望に応じてマッサージを施術でき、使い分けの時間を費やし、経済的な負担の欠点を解決するマッサージ機を提供する。【解決手段】マッサージ機１は、マッサージ用器具２と振動器具３と接続器具４を備え、マッサージ用器具２の第１マッサージ手段５と第２マッサージ手段６が互い違いに重なっている状態から第２マッサージ手段を回転して、第１マッサージ手段の上面に重ねて固定した状態にすることで、人の体の形状にフィットさせながら、マッサージする力を自在に変化させ、頭部のみならず、肩、腕、背中、腰へとお客様の要望に応じて、マッサージを施術することができる。【選択図】図１
0003216533.tif 000002
【実用新案登録請求の範囲】
【請求項１】
マッサージ用器具を振動器具に取り付けて使用するマッサージ機であって、前記マッサージ用器具は、複数のアームの各々が収束して接続する接続端と、当該接続端から放射状に伸びる自由端を備えるマッサージ手段を有している事を特徴とするマッサージ機
【請求項２】
前記マッサージ用器具は、接続器具を介して、前記振動器具に係合することを特徴とする請求項１記載のマッサージ機
【請求項３】
前記接続器具は、滑り止めシートと、緩衝材と、伸縮部材を備えていることを特徴とする請求項２記載のマッサージ機
【請求項４】
前記振動器具は、球状振動ヘット部と、支持構造体と、駆動部を備えていることを特徴とする請求項２記載のマッサージ機
【請求項５】
前記マッサージ手段は、第１マッサージ手段と第２マッサージ手段を備え、前記第１マッサージ手段の複数のアームの外側面は、接続端から自由端の方向へ伸びる勘合溝を備え、前記第２マッサージ手段の複数のアームの内側面は、接続端から自由端の方向へ伸びる勘合突起を備えることを特徴とする請求項１に記載のマッサージ機
【請求項６】
前記第１マッサージ手段の複数アームの内側面は、前記接続端から放射状に伸びる自由端までの中間領域に吸盤状の突起構造を備えることを特徴とする請求項５記載のマッサージ機
【請求項７】
前記第２マッサージ手段の接続端は、前記第１マッサージ手段の接続端を被って接続されており、前記第２マッサージ手段の複数アームは、当該複数アームの接続端を中心に回転して前記第１マッサージ手段の複数アームにかさねて固定できることを特徴とする請求項６記載のマッサージ機
【考案の詳細な説明】
【技術分野】
【０００１】  本考案は、マッサージ機に関するものである
【背景技術】
【０００２】  従来、頭部と頭皮をマッサージできる弾力性の複数のフィンガーを有する頭部マッサージ装置が知られている（特表２００４−５３８１１７号）。また、頭部に振動及び低周波通電による物理的な刺激を利用した四つ手状態に複数本からなる弾性支持体で頭部を覆う頭部マッサージ装置が知られている（実開平５−３８７５３号）。【０００３】  しかしながら、上記構成では、頭部のマッサージを施術することはできるものの、ヘアーサロンにおいて、頭部のみならず、肩、腕、背中、腰へとお客様の要望に応じてマッサージを施術するにあたり、複数のマッサージ装置を使い分けて施術することとなり、使い分けの時間を費やし、経済的な負担も増えてしまう等の欠点がある。
【先行技術文献】
【特許文献】
【０００４】
【特許文献１】特表２００４−５３８１１７  公報
【０００５】
【特許文献２】実開平５−３８７５３  公報
【考案の概要】
【考案が解決しようとする課題】
【０００６】  本考案は、複数のマッサージ装置を用意せずに、人の体の形状にフィットさせながら、マッサージする力を自在に変化させることにより、ヘアーサロンにおいて、頭部のみならず、肩、腕、背中、腰へとお客様の要望に応じてマッサージを施術でき、使い分けの時間を費やし、経済的な負担の欠点を解決しようとするものである
【課題を解決するための手段】
【０００７】  本考案は、マッサージ用器具と振動器具と接続器具を備えるマッサージ機であって、前記マッサージ用器具は複数のアームの各々が収束して接続する接続端と、当該接続端から放射状に伸びる自由端を備える第１マッサージ手段と当該接続端及び当該自由端を備える第２マッサージ手段を備えることにより前述の欠点を解決するものである。
【考案の効果】
【０００８】  本考案によれば、複数のマッサージ装置によって特別に施術する必要がなくひとつのマッサージ機で全身をマッサージすることができ、また、施術タイプの異なる市販のマッサージ装置を組み合わせて使用することができるので経済的負担が減少するマッサージ機を提供できる。
【図面の簡単な説明】
【０００９】
【図１】本考案のマッサージ機の一実施例を示す略正面図である。
【図２】本考案のマッサージ機の一実施例を示す略正面図の分解図である。
【図３】第一マッサージ手段の複数アーム、第二マッサージ手段の複数アームの上面図及び、接続端の接続端の内部構造図である。
【考案を実施するための形態】
【００１０】  本考案のマッサージ機１は、マッサージ用器具２と振動器具３と接続器具４を備え、前記マッサージ用器具２の第１マッサージ手段５と第２マッサージ手段６が互い違いに重なっている状態から第２マッサージ手段６を回転して、第１マッサージ手段５の上面に重ねた状態で固定することで、人の体の形状にフィットさせながら、マッサージする力を自在に変化させることが可能となる。ヘアーサロンにおいて、頭部のみならず、肩、腕、背中、腰へとお客様の要望に応じて、マッサージを施術することが可能となる。
【実施例】
【００１１】  以下、本考案を図面に示す実施例に基づいて説明する。
図１は、本考案のマッサージ機の一実施例で、マッサージ機１に、マッサージ用器具２と振動器具３と接続器具４を備え、前記マッサージ用器具２の第１マッサージ手段５と第２マッサージ手段６が互い違いに重なっている状態から第２マッサージ手段６を回転して、第１マッサージ手段５の上面に重ねた後固定することで、人の体の形状にフィットさせながら、マッサージする力を自在に変化させることが可能となる。ヘアーサロンにおいて、頭部のみならず、肩、腕、背中、腰へとお客様の要望に応じて、マッサージを施術することができる。本考案の接続器具を使用すれば、市販のマッサージ機とマッサージ手段を組み合わせて使用する事も可能である。【００１２】  図４は、市販の、スライブハンディマッサージャーＭＤ−００１と、アカイシ（ＡＫＡＩＳＨＩ）ツボヘッドを、考案した接続器具４で接続したマッサージ機の図である。図５は、前記マッサージ機で背中のマッサージを施術した図である。図６は前記マッサージ機により膝のマッサージを施術した図である。ただし頭部以外のマッサージにおいては、マッサージ手段が複数ある方が強度を増すために、当方考案のマッサージ手段が最適と考える。【００１３】  図１で示すように、マッサージ機１は、マッサージ用器具２、振動器具３、接続器具４を備えている。マッサージ用器具２は第１マッサージ手段５及び第２マッサージ手段６を備えている。マッサージ用器具２は複数のアームを備え、第１マッサージ手段５の各々のアームの外側面１５には勘合溝１７があり、当該複数のアームの内側面には吸盤状の突起構造１９がある。第２マッサージ手段６の各々のアームの内側面１６には勘合突起１８がある。これら勘合溝１７と勘合突起１８により、第２マッサージ手段５を回転して、第１マッサージ手段の上面に重ねた状態で固定する事が可能となり、人体の形状にフィットさせながら、マッサージする力を自在に変化させて頭部のみならず、肩、腕、背中、腰へとお客様の要望に応じて、マッサージを施術する事が可能となる。【００１４】  図１で示すように、振動器具３は球状振動ヘッド部７、支持構造体８、駆動部９を備えている。【００１５】  図１で示すように、接続器具４は滑り止めシート１２、緩衝材１３、伸縮部材１４、接続器具２２を備えている。  この接続器具４によってマッサージ機１はマッサージ用器具２と振動器具３が係合されている。【００１６】  図２は、マッサージ機の略正面図の分解図で、マッサージ用器具２の第１マッサージ手段５の上に第２マッサージ手段６を重ねた状態で、接続器具４の滑り止めシート１２、緩衝材１３、伸縮部材１４を介して、振動器具３の球状振動ヘッド部７へ接続固定する分解図である。【００１７】    振動器具３は、図２で示すように、振動器具３の球状振動ヘッド部７の上に配置した接続器具４の緩衝材１３の上に、接続補助具２２を介して、マッサージ用具２の第１マッサージ手段５の複数アーム接続端２３及び第２マッサージ手段６の複数アームの接続端２４を接続固定し、マッサージ用器具２の接続端２３，２４に接続固定された接続器具４の接続補助具２２と緩衝材１３の間に滑り止めシート１２を挟みこみ、伸縮部材１４により前期接続補具２２と振動器具３の球状振��ヘッド部７とを接続固定する。伸縮部材１４は幅広のベルト状で接続補助具２２の太さに合わせて穴の開いた伸縮素材であればよく、接続補助具２２を起点として対角線状に球状振動ヘッド部７に接続固定する事ができる。この時、接続補助具２２と球状振動ヘッド部７とは、４箇所以上接続するのが望ましい。マッサージ手段の複数アームの素材は、柔軟であり、変形しても元の形に戻る性質を持つＡＢＳ樹脂、６ナイロン、塩化ビニール樹脂、軽金属などが良い。接続補助具２２は緩衝材１３を抱え込む伸縮素材１４により球状振動ヘッド部７に接続固定する。接続器具３の緩衝材１３は合成ゴム、ウレタンゴム、ウレタン樹脂などが良い。【００１８】  図２で示すように、第一マッサージ手段５の複数アームを側面から見た形状は、肩や膝、頭部等を包み込みやすいチューリップの花状になり、外周は真円である。第二マッサージ手段６の複数アームを側面から見た形状は第一マッサージ手段の複数アームに第二マッサージ手段６の複数アームを重ねて強度を増す役目を果たすため、第一マッサージ手段５の複数アームの接続端からの曲率半径よりも、第二マッサージ手段６の複数アームの接続端から中間部までの曲率半径は大きく、第一マッサージ手段５の複数アームの中間部から自由端までの曲率半径は第二マッサージ手段６の複数アームの中間部から自由端までの曲率半径よりも小さく、第二マッサージ手段６の複数アームの放射状に伸びる自由端は、第一マッサージ手段５の複数アームの放射状に伸びる自由端を外側から抑え込む。【００１９】  第二マッサージ手段６の複数アームも外周が真円である。図２で示すように、第二マッサージ手段６を側面から見た形状は、第一マッサージ手段５の複数アームの補助的な役割を果たすものであるため、第一マッサージ手段５の複数アームより当該アーム幅はやや細くなる。第一マッサージ手段５の複数アームの内側面１６には頭部マッサージ時に頭部にフィットさせるため吸盤状の突起構造１９を各々のアームに少なくとも２〜３箇所設ける。【００２０】    図３はマッサージ用器具２の第一マッサージ手段５及び第二マッサージ手段６の複数アームを接続端２３，２４より眺めた略図である。第一マッサージ手段５の複数アームの接続管状部２３Ａの外周面にパネル磁石２０を、第二マッサージ手段６の複数アームの接続管状部２４Ａの内側面には鉄製パネル２１を設置する。【００２１】  図３で示す様に、第二マッサージ手段６の複数アームの接続端２４の内側面は、空洞になっており、図２で示すように第二マッサージ手段６の複数アームの接続管状部２４Ａは、第一マッサージ手段５の複数アームの接続管状部２３Ａを内側面に挿入配置し、当該第一マッサージ手段５の複数アームの接続管状部２３Ａの内側面に接続補助具２２を差し込み接着する。【００２２】  図３で示すように、第一マッサージ手段５の複数アームの外側面１５には勘合溝１７が設けられ、第二マッサージ手段６の複数アームの内側面１６には勘合突起１８設けられ、勘合溝１７に勘合突起１８がはまり込みそれぞれの複数アームが重なった状態２５と、勘合溝１７から勘合突起１８が外れそれぞれの複数アームが等間隔に配置された状態２６を示しており、マッサージ手段上面図及��、接続端の内部構造図である。【００２３】  図３の２５は、第一マッサージ手段５の複数アームの勘合溝１７に第二マッサージ手段６の複数アームの勘合突起１８がはまり込んだ状態で、強い圧力でマッサージ効果を得たいときにマッサージ用器具をこの形にセットする。図３の２６は、第一マッサージ手段５の複数アームの勘合溝１７から第二マッサージ手段６の複数アームの勘合突起１８が分かれて、第一マッサージ手段５及び第二マッサージ手段６のそれぞれの複数アームの接続端から眺めたときに、第一マッサージ手段５及び第二マッサージ手段６のそれぞれの複数アームのすべてのアームが隣り合わせたアームと等間隔に配置された状態で、圧力をあまりかけない場合及び、肩、膝、肘、頭部など患部を包み込みマッサージを行う場合に、マッサージ用器具をこの形にセットする。【００２４】  図３の２５の状態では、第一マッサージ手段５の複数アームと第二マッサージ手段６の複数アームが重なった時に、第一マッサージ手段５の勘合溝１７に、第二マッサージ手段６の勘合突起１８がはまり込み、マッサージ用器具２で患部を強い力でマッサージすることができる。そのため、第一マッサージ手段５の複数アームと第二マッサージ手段６の複数アームが重なった状態から、密着状態に変化できるように、第一マッサージ手段５の勘合溝１７の長さは、第二マッサージ手段６の勘合突起１８が外れないように、第一マッサージ手段５の勘合溝１７の長さを調整することができる。【００２５】  図３で示すように、第二マッサージ手段６の複数アームの接続端２４を回転させて第一マッサージ手段５の複数アームの接続端２３と固定する構造は、磁石２０と鉄製パネル２１の作用で行う。図２で示すように、第二マッサージ手段６の複数アームの接続管状部２４Ａを回転するときは、第二マッサージ手段６の複数アームの接続管状部２４Ａを第一マッサージ手段５の接続端２３の方向へ移動させた後、回転することができる。そのため、第一マッサージ手段５の接続管状部２３Ａの長さは、第二マッサージ手段６の接続管状部２４Ａの長さより長い構造としてある。【００２６】  図３で示す様に、第一マッサージ手段５及び第二マッサージ手段６の複数アームの本数が、８本の場合、第二マッサージ手段６の複数アームの接続端２４の内側円周を１６分割し、第二マッサージ手段の複数アーム６の接続端２３の内側面の１分割目、４分割目、７分割目、１０分割目、１３分割目に、それぞれ鉄製パネル２１を貼付ける。１分割目の鉄製パネル２１を貼り付けるスタート位置は、第一マッサージ手段５の複数アームの勘合溝に第二マッサージ手段６の複数アームの勘合突起がはまり込んだ状態で、向かい合ったアームの中心にＬ１の線を引き、鉄製パネル２１の中心がその線上で第二マッサージ手段６の接続端の内側と交差する２１Ａの位置とする。７分割目と１３分割目の鉄製パネル２１を貼付けるスタート位置は、同様に、対象になるアームと対面するアームの中心に線を引き、その中心線と第二マッサージ手段６の接続端の内側と交差する位置とし、４分割目と１０分割目の鉄製パネル２１を貼付けるスタート位置は、第二マッサージ手段６の複数アームの収束する谷間にあたる位置とその対角になる位置に重なるようＬ２の線を引き、第二マッサージ手段６の接続端２４の内側面にあたる場所でＬ２の線と交差する位置に鉄製パネル２１の中心が重なるように設置する【００２７】  第一マッサージ手段５の複数アームの勘合溝１７に第二マッサージ手段６の複数アームの勘合突起１８がはまり込んだ位置に合わせたときに、第二マッサージ手段６の複数アームの接続端２４の内側面に張り付けたいずれかの鉄製パネル２１と、第一マッサージ手段５の接続端２３の外側面に、対になる部分一か所に、ネオジム磁石のように磁力の強いパネル磁石２０を設置する。これにより右に回しても左に回しても、第一マッサージ手段５の複数アームの勘合溝１７に第二マッサージ手段６の複数アームの勘合突起１８がはまり込んだ状態２５もしくは、第一マッサージ手段５の複数アームの勘合溝１７と第二マッサージ手段６の複数アームの勘合突起１８がお互いに分かれて交互にずれた状態２６が形成される。第一及び第二マッサージ手段５，６のアームの数が増えた場合、第二マッサージ手段６の複数アームの接続端２４の内側円周の分割する数は任意に増減することが可能である
【符号の説明】
【００２８】    １  マッサージ機
２  マッサージ用器具
３  振動器具
４  接続器具
５  第１マッサージ手段
６  第２マッサージ手段
７  球状振動ヘッド部
８  支持構造体
９  駆動部
１０  接続端
１１  自由端
１２  滑り止めシート
１３  緩衝材
１４  伸縮部材
１５  アームの外側面
１６  アームの内側面
１７  勘合溝
１８  勘合突起
１９  吸盤状の突起構造
２０  パネル磁石
２１  鉄製パネル
２２  接続器具４の接続補助具
２３  第一マッサージ手段の複数アーム５の接続端
２３Ａ  第一マッサージ手段５の複数アームの接続管状部
２４  第二マッサージ手段の複数アーム５の接続端
２４Ａ  第二マッサージ手段６の複数アームの接続管状部
２５  第一マッサージ手段の複数アームの勘合溝に第二マッサージ手段の複数アームの        勘合突起が合わさった状態及び接続端の構造
２６  第一マッサージ手段の複数アームの勘合溝と第二マッサージ手段の複数アームの        勘合突起がずれた状態及び接続端の構造
【図１】
0003216533.tif 000003
【図２】
0003216533.tif 000004
【図３】
0003216533.tif 000005
【図４】
0003216533.tif 000006
【図５】
0003216533.tif 000007
【図６】
0003216533.tif 000008
【手続補正書】
【提出日】平成30年2月1日(2018.2.1)
【手続補正１】
【補正対象書類名】図面
【補正対象項目名】全図
【補正方法】変更
【補正の内容】
【図１】
0003216533.tif 000009
【図２】
0003216533.tif 000010
【図３】
0003216533.tif 000011
【図４】
0003216533.tif 000012
【図５】
0003216533.tif 000013
【図６】
0003216533.tif 000014
【手続補正書】
【提出日】平成30年4月3日(2018.4.3)
【手続補正１】
【補正対象書類名】明細書
【補正対象項目名】０００９
【補正方法】変更
【補正の内容】
【０００９】
【図１】本考案のマッサージ機の一実施例を示す略正面図である。
【図２】本考案のマッサージ機の一実施例を示す略正面図の分解図である。
【図３】第一マッサージ手段の複数アーム、第二マッサージ手段の複数アームの上面図及び、接続端の内部構造図である。
【図４】市販のマッサージ機と市販のマッサージ手段を本考案の接続器具で接続した図である。
【図５】前記マッサージ機で背中のマッサージを施術した図である。
【図６】前記マッサージ機で膝のマッサージを施術した図である。